(57)【要約】【課題】  移動通信端末の位置を取得しなくても、公衆セルから特定セルに移動通信端末を適切に誘導することを可能とする移動通信システム、特定セル用無線基地局及び移動通信方法を提供する。【解決手段】  移動通信システム１００は、公衆セルに割り当てられる複数の周波数のうち、いずれかの周波数が割り当てられる特定セルを管理する特定セル用無線基地局２０を有する。特定セル用無線基地局２０は、特定セルに割り当てられる周波数以外の残りの周波数を用いて、公衆セルから特定セルへの遷移を誘導する誘導報知情報を報知するように構成される。【選択図】  図２
2011151502.tif 000002
【特許請求の範囲】
【請求項１】
公衆セルに割り当てられる複数の周波数のうち、いずれかの周波数が割り当てられる特定セルを管理する特定セル用無線基地局を有する移動通信システムであって、
前記特定セル用無線基地局は、前記特定セルに割り当てられる周波数以外の残りの周波数を用いて、前記公衆セルから前記特定セルへの遷移を誘導する誘導報知情報を報知するように構成されることを特徴とする移動通信システム。
【請求項２】
前記特定セル用無線基地局は、前記残りの周波数を時分割で切り替えて、前記残りの周波数毎に時分割で前記誘導報知情報を報知することを特徴とする請求項１に記載の移動通信システム。
【請求項３】
前記誘導報知情報は、前記特定セルに割り当てられる周波数を特定する情報を含むことを特徴とする請求項１に記載の移動通信システム。
【請求項４】
前記誘導報知情報は、前記誘導報知情報の報知に用いる周波数の使用を規制する情報を含むことを特徴とする請求項１に記載の移動通信システム。
【請求項５】
公衆セルに割り当てられる複数の周波数のうち、いずれかの周波数が割り当てられる特定セルを管理する特定セル用無線基地局であって、
前記特定セルに割り当てられる周波数以外の残りの周波数を用いて、前記公衆セルから前記特定セルへの遷移を誘導する誘導報知情報を報知するように構成された報知部を備えることを特徴とする特定セル用無線基地局。
【請求項６】
公衆セルに割り当てられる複数の周波数のうち、いずれかの周波数が割り当てられる特定セルを管理する特定セル用無線基地局を有する移動通信システムに適用される移動通信方法であって、
前記特定セル用無線基地局が、前記特定セルに割り当てられる周波数以外の残りの周波数を用いて、前記公衆セルから前記特定セルへの遷移を誘導する誘導報知情報を報知するステップを備えることを特徴とする移動通信方法。
【発明の詳細な説明】
【技術分野】
【０００１】
公衆セルに割り当てられる複数の周波数のうち、いずれかの周波数が割り当てられる特定セルを有する移動通信システム、移動通信システムで用いられる特定セル用無線基地局及び移動通信方法に関する。
【背景技術】
【０００２】
ＣＳＧ（Ｃｌｏｓｅｄ  Ｓｕｂｓｃｒｉｂｅｒ  Ｇｒｏｕｐ）セル、ホームセル又はフェムトセルなどと称される特定セルが知られている（例えば、非特許文献１）。なお、特定セルには、アクセス種別を設定することが可能である。アクセス種別は、「Ｃｌｏｓｅｄ」、「Ｈｙｂｒｉｄ」又は「Ｏｐｅｎ」である。
【０００３】
「Ｃｌｏｓｅｄ」の特定セルは、特定ユーザ（ＵＥ；Ｕｓｅｒ  Ｅｑｕｉｐｍｅｎｔ）に対するサービスの提供のみが許可されるように構成される。「Ｈｙｂｒｉｄ」の特定セルは、特定ユーザに対して他のユーザ（非特定ユーザ）よりも高品質の通信が許可されるように構成される。「Ｏｐｅｎ」の特定セルは、一般的な公衆セルと同様に、全てのユーザに対するサービスの提供が許可されるように構成される。
【０００４】
ここで、移動通信端末に特定セルを利用させるためには、公衆セルから特定セルに移動通信端末を誘導する必要がある。公衆セルから特定セルに移動通信端末を誘導するためには、移動通信端末の位置をネットワーク側が取得する必要がある。
【０００５】
移動通信端末の位置をネットワーク側が取得する手法として、移動通信端末の識別子を移動通信端末から受信する公衆セル用無線基地局の位置に基づいて、移動通信端末の位置を推定する技術が提案されている（例えば、特許文献１）。
【先行技術文献】
【特許文献】
【０００６】
【特許文献１】特開２００３−６７５５３号公報
【発明の概要】
【発明が解決しようとする課題】
【０００７】
しかしながら、公衆セルのサービスエリアは、特定セルのサービスエリアと一致していないため、公衆セル用無線基地局の位置によって移動通信端末の位置を推定しても、実際には、特定セルを利用することができないのに、公衆セルから特定セルに移動通信端末が誘導されてしまう可能性がある。
【０００８】
また、移動通信端末に設けられるＧＰＳ（Ｇｌｏｂａｌ  Ｐｏｓｉｔｉｏｎｉｎｇ  Ｓｙｓｔｅｍ）機能の利用によって、移動通信端末の位置を正確に取得することも考えられるが、ＧＰＳ機能を移動通信端末も存在する。
【０００９】
そこで、本発明は、上述した課題を解決するためになされたものであり、移動通信端末の位置を取得しなくても、公衆セルから特定セルに移動通信端末を適切に誘導することを可能とする移動通信システム、特定セル用無線基地局及び移動通信方法を提供することを目的とする。
【課題を解決するための手段】
【００１０】
第１の特徴に係る移動通信システムは、公衆セルに割り当てられる複数の周波数のうち、いずれかの周波数が割り当てられる特定セルを管理する特定セル用無線基地局を有する。前記特定セル用無線基地局は、前記特定セルに割り当てられる周波数以外の残りの周波数を用いて、前記公衆セルから前記特定セルへの遷移を誘導する誘導報知情報を報知するように構成される。
【００１１】
第１の特徴において、前記特定セル用無線基地局は、前記残りの周波数を時分割で切り替えて、前記残りの周波数毎に時分割で前記誘導報知情報を報知する。
【００１２】
第１の特徴において、前記誘導報知情報は、前記特定セルに割り当てられる周波数を特定する情報を含む。
【００１３】
第１の特徴において、前記誘導報知情報は、前記誘導報知情報の報知に用いる周波数の使用を規制する情報を含む。
【００１４】
第２の特徴に係る特定セル用無線基地局は、公衆セルに割り当てられる複数の周波数のうち、いずれかの周波数が割り当てられる特定セルを管理する。特定セル用無線基地局は、前記特定セルに割り当てられる周波数以外の残りの周波数を用いて、前記公衆セルから前記特定セルへの遷移を誘導する誘導報知情報を報知するように構成された報知部を備える。
【００１５】
第３の特徴に係る移動通信方法は、公衆セルに割り当てられる複数の周波数のうち、いずれかの周波数が割り当てられる特定セルを管理する特定セル用無線基地局を有する移動通信システムに適用される。移動通信方法は、前記特定セル用無線基地局が、前記特定セルに割り当てられる周波数以外の残りの周波数を用いて、前記公衆セルから前記特定セルへの遷移を誘導する誘導報知情報を報知するステップを備える。
【発明の効果】
【００１６】
本発明によれば、移動通信端末の位置を取得しなくても、公衆セルから特定セルに移動通信端末を適切に誘導することを可能とする移動通信システム、特定セル用無線基地局及び移動通信方法を提供することができる。
【図面の簡単な説明】
【００１７】
【図１】第１実施形態に係る移動通信システム１００を示す図である。
【図２】第１実施形態に係る特定セル用無線基地局２０を示す図である。
【図３】第１実施形態に係る第１誘導方法を説明するための図である。
【図４】第１実施形態に係る第１誘導方法を説明するための図である。
【図５】第１実施形態に係る第１誘導方法を説明するための図である。
【図６】第１実施形態に係る第１誘導方法を説明するための図である。
【図７】第１実施形態に係る第２誘導方法を説明するための図である。
【図８】第１実施形態に係る第２誘導方法を説明するための図である。
【図９】第１実施形態に係る第２誘導方法を説明するための図である。
【図１０】変更例１に係る移動通信システム１００を示す図である。
【発明を実施するための形態】
【００１８】
以下において、本発明の実施形態に係る移動通信システムについて、図面を参照しながら説明する。なお、以下の図面の記載において、同一又は類似の部分には、同一又は類似の符号を付している。
【００１９】
ただし、図面は模式的なものであり、各寸法の比率などは現実のものとは異なることに留意すべきである。従って、具体的な寸法などは以下の説明を参酌して判断すべきである。また、図面相互間においても互いの寸法の関係や比率が異なる部分が含まれていることは勿論である。
【００２０】
［実施形態の概要］
実施形態に係る移動通信システムは、公衆セルに割り当てられる複数の周波数のうち、いずれかの周波数が割り当てられる特定セルを管理する特定セル用無線基地局を有する。特定セル用無線基地局は、特定セルに割り当てられる周波数以外の残りの周波数を用いて、公衆セルから特定セルへの遷移を誘導する誘導報知情報を報知するように構成される。
【００２１】
実施形態では、特定セル用無線基地局は、特定セルに割り当てられる周波数以外の残りの周波数を用いて、公衆セルから特定セルへの遷移を誘導する誘導報知情報を報知する。従って、特定セルに割り当てられる周波数とは異なる周波数が割り当てられる公衆セルを移動通信端末が利用していても、当該移動通信端末を特定セルに適切に誘導することができる。また、移動通信端末の位置を取得する必要もない。
【００２２】
なお、実施形態において、特定セルは、小規模かつ大規模に配備されるセルであることが好ましい。特定セルは、ＨＮＢ（Ｈｏｍｅ  Ｎｏｄｅ  Ｂ）、ＨｅＮＢ（Ｈｏｍｅ  Ｅｖｏｌｖｅｄ  Ｎｏｄｅ  Ｂ）、フェムトＢＴＳなどによって管理されるセルであることが好ましい。すなわち、特定セル用無線基地局は、ＨＮＢ、ＨｅＮＢ、フェムトＢＴＳなどである。
【００２３】
［第１実施形態］
（移動通信システムの構成）
以下において、第１実施形態に係る移動通信システムの構成について、図面を参照しながら説明する。図１は、第１実施形態に係る移動通信システム１００を示す図である。
【００２４】
図１に示すように、移動通信システム１００は、通信端末装置１０（以下、ＵＥ１０）と、コアネットワーク５０とを含む。また、移動通信システム１００は、第１通信システムと第２通信システムとを含む。
【００２５】
第１通信システムは、例えば、ＵＭＴＳ（Ｕｎｉｖｅｒｓａｌ  Ｍｏｂｉｌｅ  Ｔｅｌｅｃｏｍｍｕｎｉｃａｔｉｏｎ  Ｓｙｓｔｅｍ）に対応する通信システムである。第１通信システムは、基地局１１０Ａ（以下、ＮＢ１１０Ａ）と、ホーム基地局１１０Ｂ（以下、ＨＮＢ１１０Ｂ）と、ＲＮＣ１２０Ａと、ホーム基地局ゲートウェイ１２０Ｂ（以下、ＨＮＢ−ＧＷ１２０Ｂ）と、ＳＧＳＮ１３０とを有する。
【００２６】
なお、第１通信システムに対応する無線アクセスネットワーク（ＵＴＲＡＮ；Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ＮＢ１１０Ａ、ＨＮＢ１１０Ｂ、ＲＮＣ１２０Ａ、ＨＮＢ−ＧＷ１２０Ｂによって構成される。
【００２７】
第２通信システムは、例えば、ＬＴＥ（Ｌｏｎｇ  Ｔｅｒｍ  Ｅｖｏｌｕｔｉｏｎ）に対応する通信システムである。第２通信システムは、例えば、基地局２１０Ａ（以下、ｅＮＢ２１０Ａ）と、ホーム基地局２１０Ｂ（以下、ＨｅＮＢ２１０Ｂ）と、ホーム基地局ゲートウェイ２２０Ｂ（以下、ＨｅＮＢ−ＧＷ２２０Ｂ）と、ＭＭＥ２３０とを有する。
【００２８】
なお、第２通信システムに対応する無線アクセスネットワーク（Ｅ−ＵＴＲＡＮ；Ｅｖｏｌｅｄ  Ｕｎｉｖｅｒｓａｌ  Ｔｅｒｒｅｓｔｒｉａｌ  Ｒａｄｉｏ  Ａｃｃｅｓｓ  Ｎｅｔｗｏｒｋ）は、ｅＮＢ２１０Ａ、ＨｅＮＢ２１０Ｂ及びＨｅＮＢ−ＧＷ２２０Ｂによって構成される。
【００２９】
ＵＥ１０は、第１通信システム或いは第２通信システムと通信を行うように構成された装置（Ｕｓｅｒ  Ｅｑｕｉｐｍｅｎｔ）である。例えば、ＵＥ１０は、ＮＢ１１０Ａ及びＨＮＢ１１０Ｂと無線通信を行う機能を有する。或いは、ＵＥ１０は、ｅＮＢ２１０Ａ及びＨｅＮＢ２１０Ｂと無線通信を行う機能を有する。
【００３０】
ＮＢ１１０Ａは、公衆セル１１１Ａを管理しており、公衆セル１１１Ａに存在するＵＥ１０と無線通信を行う装置（ＮｏｄｅＢ）である。
【００３１】
ＨＮＢ１１０Ｂは、特定セル１１１Ｂを管理しており、特定セル１１１Ｂに存在するＵＥ１０と無線通信を行う装置（Ｈｏｍｅ  ＮｏｄｅＢ）である。
【００３２】
ＲＮＣ１２０Ａは、ＮＢ１１０Ａに接続されており、公衆セル１１１Ａに存在するＵＥ１０と無線接続（ＲＲＣ  Ｃｏｎｎｅｃｔｉｏｎ）を設定する装置（Ｒａｄｉｏ  Ｎｅｔｗｏｒｋ  Ｃｏｎｔｒｏｌｌｅｒ）である。
【００３３】
ＨＮＢ−ＧＷ１２０Ｂは、ＨＮＢ１１０Ｂに接続されており、特定セル１１１Ｂに存在するＵＥ１０と無線接続（ＲＲＣ  Ｃｏｎｎｅｃｔｉｏｎ）を設定する装置（Ｈｏｍｅ  ＮｏｄｅＢ  Ｇａｔｅｗａｙ）である。
【００３４】
ＳＧＳＮ１３０は、パケット交換ドメインにおいてパケット交換を行う装置（Ｓｅｒｖｉｎｇ  ＧＰＲＳ  Ｓｕｐｐｏｒｔ  Ｎｏｄｅ）である。ＳＧＳＮ１３０は、コアネットワーク５０に設けられる。図１では省略しているが、回線交換ドメインにおいて回線交換を行う装置（ＭＳＣ；Ｍｏｂｉｌｅ  Ｓｗｉｔｃｈｉｎｇ  Ｃｅｎｔｅｒ）がコアネットワーク５０に設けられていてもよい。
【００３５】
ｅＮＢ２１０Ａは、公衆セル２１１Ａを管理しており、公衆セル２１１Ａに存在するＵＥ１０と無線通信を行う装置（ｅｖｏｌｖｅｄ  ＮｏｄｅＢ）である。
【００３６】
ＨｅＮＢ２１０Ｂは、特定セル２１１Ｂを管理しており、特定セル２１１Ｂに存在するＵＥ１０と無線通信を行う装置（Ｈｏｍｅ  ｅｖｏｌｖｅｄ  ＮｏｄｅＢ）である。
【００３７】
ＨｅＮＢ−ＧＷ２２０Ｂは、ＨｅＮＢ２１０Ｂに接続されており、ＨｅＮＢ２１０Ｂを管理する装置（Ｈｏｍｅ  ｅｖｏｌｖｅｄ  ＮｏｄｅＢ  Ｇａｔｅｗａｙ）である。
【００３８】
ＭＭＥ２３０は、ｅＮＢ２１０Ａと接続されており、ＨｅＮＢ２１０Ｂと無線接続を設定しているＵＥ１０の移動性を管理する装置（Ｍｏｂｉｌｉｔｙ  Ｍａｎａｇｅｍｅｎｔ  Ｅｎｔｉｔｙ）である。また、ＭＭＥ２３０は、ＨｅＮＢ−ＧＷ２２０Ｂを介してＨｅＮＢ２１０Ｂと接続されており、ＨｅＮＢ２１０Ｂと無線接続を設定しているＵＥ１０の移動性を管理する装置である。
【００３９】
なお、公衆セル及び特定セルは、ＵＥ１０と無線通信を行う機能として理解すべきである。但し、公衆セル及び特定セルは、セルのサービスエリアを示す用語としても用いられる。また、公衆セル及び特定セルなどのセルは、セルで用いられる周波数、拡散コード又はタイムスロットなどによって識別される。
【００４０】
特定セルは、フェムトセル、ＣＳＧ（Ｃｌｏｓｅｄ  Ｓｕｂｓｃｒｉｂｅｒ  Ｇｒｏｕｐ）セル、ホームセルなどと称されることもある。また、特定セルは、特定セルにアクセス可能なＵＥ１０を規定するアクセス種別が設定可能に構成されている。アクセス種別は、「Ｃｌｏｓｅｄ」、「Ｈｙｂｒｉｄ」又は「Ｏｐｅｎ」である。
【００４１】
「Ｃｌｏｓｅｄ」の特定セルは、特定セルによって管理される特定ユーザ（ＵＥ；Ｕｓｅｒ  Ｅｑｕｉｐｍｅｎｔ）に対するサービスの提供のみが許可されるように構成される。
【００４２】
「Ｈｙｂｒｉｄ」の特定セルは、例えば、特定セルによって管理される特定ユーザに対して高品質の通信が許可されるように構成されており、特定セルによって管理されていない非特定ユーザに対してベストエフォート品質の通信が許可されるように構成される。
【００４３】
「Ｏｐｅｎ」の特定セルは、公衆セルと同様に、全てのＵＥ１０に対するサービスの提供が許可されるように構成される。なお、「Ｏｐｅｎ」のセルでは、特定セルによって管理されている否かによって、ＵＥ１０間の通信品質の差異が区別されない。
【００４４】
なお、アクセス種別は、アクセスクラス毎にＵＥ１０のアクセスを禁止する「ＡＣＣＥＳＳ  ＣＬＡＳＳ  ＢＡＲＲＥＤ」、セル毎にＵＥ１０のアクセスを禁止する「ＣＥＬＬ  ＢＡＲＲＥＤ」であってもよい。
【００４５】
（特定セル用無線基地局の構成）
以下において、第１実施形態に係る特定セル用無線基地局の構成について、図面を参照しながら説明する。図２は、第１実施形態に係る特定セル用無線基地局２０を示す図である。図２に示すように、特定セル用無線基地局２０は、通信部２１と、報知部２２と、周波数切替部２３とを有する。
【００４６】
なお、特定セル用無線基地局２０は、特定セルを管理する無線基地局であり、ＨＮＢ１１０Ｂ又はＨｅＮＢ２１０Ｂである。また、特定セルには、公衆セルに割り当てられる複数の周波数のうち、いずれかの周波数が割り当てられる。
【００４７】
通信部２１は、ＵＥ１０と通信を行う。また、通信部２１は、他のネットワーク装置（例えば、ＨＮＢ−ＧＷ１２０Ｂ、ＨｅＮＢ−ＧＷ２２０Ｂ）と通信を行う。
【００４８】
例えば、通信部２１は、特定セルにおいて、特定セルに割り当てられる周波数以外の残りの周波数を用いて、公衆セルから特定セルへの遷移を誘導する誘導報知情報を報知する。
【００４９】
また、通信部２１は、共通制御情報を報知することによって、特定セルのサービスエリアを形成する。共通制御情報は、例えば、システム情報などであり、ＵＥ１０が特定セルに位置登録を行う際に用いられる。
【００５０】
報知部２２は、公衆セルから特定セルへの遷移を誘導する誘導報知情報の報知を通信部２１に指示する。ここで、誘導報知情報は、公衆セルに割り当てられる周波数のうち、特定セルに割り当てられる周波数以外の残りの周波数を用いて報知される。また、誘導報知情報としては、例えば、以下に示す２種類の情報が考えられる。
【００５１】
具体的には、１種類目の誘導報知情報は、特定セルに割り当てられる周波数を特定する情報を含む。２種類目の誘導報知情報は、誘導報知情報の報知に用いる周波数の使用を規制する情報を含む。
【００５２】
ここで、１種類目の誘導報知情報を受信するＵＥ１０は、誘導報知情報に含まれる情報を用いて、特定セルに割り当てられる周波数に遷移する。その後、ＵＥ１０は、特定セルに対する位置登録を行う。
【００５３】
一方で、２種類目の誘導報知情報を受信するＵＥ１０は、誘導報知情報の報知に用いる周波数とは異なる周波数に遷移する。ＵＥ１０は、周波数の遷移を繰り返すことによって、最終的に特定セルに割り当てられる周波数に遷移する。その後、ＵＥ１０は、特定セルに対する位置登録を行う。
【００５４】
周波数切替部２３は、公衆セルに割り当てられる周波数のうち、特定セルに割り当てられる周波数以外の残りの周波数を時分割で切り替える。上述した報知部２２は、残りの周波数毎に時分割で誘導報知情報の報知を指示する。
【００５５】
（誘導方法の概要）
以下において、第１実施形態に係る公衆セルから特定セルへの誘導方法について、図面を参照しながら説明する。図３〜図９は、第１実施形態に係る公衆セルから特定セルへの誘導方法を説明するための図である。
【００５６】
ここでは、図３〜図９に示すように、公衆セルに４つの周波数（ｆ１〜ｆ４）が割り当てられるケースについて例示する。具体的には、公衆セル３１１Ａ、公衆セル３１２Ａ、公衆セル３１３Ａ及び公衆セル３１４Ａには、それぞれ、周波数ｆ１〜周波数ｆ４が割り当てられる。また、特定セル３１２Ｂには、周波数ｆ２が割り当てられる。
【００５７】
なお、特定セル用無線基地局２０（以下、特定セル３１２Ｂ）は、特定セルに割り当てられた周波数ｆ２を除いて、周波数ｆ１、周波数ｆ３、周波数ｆ４の順で、誘導報知情報の報知に用いる周波数を切り替える。
【００５８】
なお、図２では、公衆セル１１１Ａ及び公衆セル２１１Ａを区別せずに、公衆セル全般を公衆セル３１１Ａ〜公衆セル３１４Ａと称していることに留意すべきである。同様に、特定セル１１１Ｂ及び特定セル２１１Ｂを区別せずに、特定セル全般を特定セル３１２Ｂと称していることに留意すべきである。
【００５９】
（第１誘導方法）
第１に、１種類目の誘導報知情報によって、公衆セル３１４Ａに在圏するＵＥ１０を特定セル３１２Ｂに誘導する方法について、図３〜図６を参照しながら説明する。なお、１種類目の誘導報知情報は、上述したように、特定セルに割り当てられる周波数を特定する情報を含む。
【００６０】
具体的には、図３に示すように、特定セル３１２Ｂは、周波数ｆ１を用いて誘導報知情報を報知する。続いて、図４に示すように、特定セル３１２Ｂは、周波数ｆ３を用いて誘導報知情報を報知する。続いて、図５に示すように、特定セル３１２Ｂは、周波数ｆ４を用いて誘導報知情報を報知する。
【００６１】
これによって、公衆セル３１４Ａに在圏するＵＥ１０は、特定セル３１２Ｂから報知される誘導報知情報を検出することができる。従って、図６に示すように、ＵＥ１０は、誘導報知情報に含まれる情報を用いて、周波数ｆ４から周波数ｆ２へ遷移する。続いて、ＵＥ１０は、特定セル３１２Ｂに対する位置登録を行う。これによって、ＵＥ１０は、ＵＥ１０が位置登録を行うセルを公衆セル３１４Ａから特定セル３１２Ｂに切り替える。
【００６２】
（第２誘導方法）
第２に、２種類目の誘導報知情報によって、公衆セル３１１Ａに在圏するＵＥ１０を特定セル３１２Ｂに誘導する方法について、図７〜図９を参照しながら説明する。なお、２種類目の誘導報知情報は、誘導報知情報の報知に用いる周波数の使用を規制する情報を含む。
【００６３】
具体的には、図７に示すように、特定セル３１２Ｂは、周波数ｆ１を用いて誘導報知情報を報知する。公衆セル３１１Ａに在圏するＵＥ１０は、誘導報知情報を検出し、他の周波数（ここでは、周波数ｆ３）に遷移する。
【００６４】
続いて、図８に示すように、特定セル３１２Ｂは、周波数ｆ３を用いて誘導報知情報を報知する。公衆セル３１３Ａに在圏するＵＥ１０は、誘導報知情報を検出し、他の周波数（ここでは、周波数ｆ４）に遷移する。
【００６５】
続いて、特定セル３１２Ｂは、図９に示すように、周波数ｆ４を用いて誘導報知情報を報知する。公衆セル３１４Ａに在圏するＵＥ１０は、誘導報知情報を検出し、他の周波数（ここでは、周波数ｆ４）に遷移する。続いて、ＵＥ１０は、特定セル３１２Ｂに対する位置登録を行う。これによって、ＵＥ１０は、ＵＥ１０が位置登録を行うセルを公衆セル３１４Ａから特定セル３１２Ｂに切り替える。
【００６６】
ここで、ＵＥ１０は、誘導報知情報によって使用が規制された周波数を一定期間に亘って保持するように構成されることが好ましい。また、ＵＥ１０は、一定期間に亘って保持される周波数に遷移しないように構成されることが好ましい。
【００６７】
上述したように、誘導報知情報は、特定セルに割り当てられる周波数以外の残りの周波数を用いて報知されるため、誘導報知情報の報知に用いる周波数の切り替えが一巡すれば、特定セルに割り当てられる周波数にＵＥ１０が遷移する。
【００６８】
なお、誘導報知情報によって使用が規制された周波数を保持する一定期間は、誘導報知情報の報知に用いる周波数の切り替えが一巡する期間よりも長いことが好ましい。周波数の切り替えの一巡とは、特定セルに割り当てられる周波数を除いて、公衆セルに割り当てられる全ての周波数を１回ずつ誘導報知情報の報知に用いることである。例えば、上述した例では、周波数ｆ１、周波数ｆ３、周波数ｆ４を一巡として周波数が切り替えられている。
【００６９】
（作用及び効果）
実施形態では、特定セル用無線基地局２０は、特定セルに割り当てられる周波数以外の残りの周波数を用いて、公衆セルから特定セルへの遷移を誘導する誘導報知情報を報知する。従って、特定セルに割り当てられる周波数とは異なる周波数が割り当てられる公衆セルをＵＥ１０が利用していても、当該移動通信端末を特定セルに適切に誘導することができる。また、移動通信端末の位置を取得する必要もない。
【００７０】
［変更例１］
以下において、第１実施形態の変更例１について、図面を参照しながら説明する。以下においては、第１実施形態との相違点について主として説明する。
【００７１】
具体的には、第１実施形態では、ＨＮＢ１１０Ｂの上位ノードは、ＨＮＢ−ＧＷ１２０Ｂである。一方で、変更例１では、図１０に示すように、ＨＮＢ１１０Ｂの上位ノードは、ＲＮＣ１２０Ａである。
【００７２】
変更例１では、ＲＮＣ１２０Ａは、ＨＮＢ−ＧＷ１２０Ｂに代わって、ＨＮＢ１１０Ｂを管理する。すなわち、ＲＮＣ１２０Ａは、ＲＮＣ１２０Ａの配下に属する装置に対して、ＨＮＢ−ＧＷ１２０Ｂと同様の機能を提供する。
【００７３】
また、第１実施形態では、ＨｅＮＢ２１０Ｂの上位ノードは、ＨｅＮＢ−ＧＷ２２０Ｂである。一方で、変更例１では、図１０に示すように、ＨｅＮＢ２１０Ｂの上位ノードは、ＭＭＥ２３０である。
【００７４】
変更例１では、ＨｅＮＢ２１０Ｂは、ＨｅＮＢ−ＧＷ２２０Ｂに代わって、ＨｅＮＢ２１０Ｂの配下に属する装置に対して、ＨｅＮＢ−ＧＷ２２０Ｂと同様の機能を提供する。
【００７５】
なお、ＨＮＢ−ＧＷ１２０Ｂのみが省略されてもよく、ＨｅＮＢ−ＧＷ２２０Ｂのみが省略されてもよい。
【００７６】
［その他の実施形態］
本発明は上述した実施形態によって説明したが、この開示の一部をなす論述及び図面は、この発明を限定するものであると理解すべきではない。この開示から当業者には様々な代替実施形態、実施例及び運用技術が明らかとなろう。
【００７７】
なお、上述した特定セル用無線基地局２０の動作は、ハードウェアによって実施されてもよいし、プロセッサによって実行されるソフトウェアモジュールによって実施されてもよいし、両者の組み合わせによって実施されてもよい。
【００７８】
ソフトウェアモジュールは、ＲＡＭ（Ｒａｎｄｏｍ  Ａｃｃｅｓｓ  Ｍｅｍｏｒｙ）や、フラッシュメモリや、ＲＯＭ（Ｒｅａｄ  Ｏｎｌｙ  Ｍｅｍｏｒｙ）や、ＥＰＲＯＭ（Ｅｒａｓａｂｌｅ  Ｐｒｏｇｒａｍｍａｂｌｅ  ＲＯＭ）や、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）や、レジスタや、ハードディスクや、リムーバブルディスクや、ＣＤ-ＲＯＭといった任意形式の記憶媒体内に設けられていてもよい。
【００７９】
かかる記憶媒体は、プロセッサが当該記憶媒体に情報を読み書きできるように、当該プロセッサに接続されている。また、かかる記憶媒体は、プロセッサに集積されていてもよい。また、かかる記憶媒体及びプロセッサは、ＡＳＩＣ内に設けられていてもよい。かかるＡＳＩＣは、特定セル用無線基地局２０内に設けられていてもよい。また、かかる記憶媒体及びプロセッサは、ディスクリートコンポーネントとして特定セル用無線基地局２０内に設けられていてもよい。
【符号の説明】
【００８０】
１０…通信端末装置、２０…特定セル用無線基地局、２１…通信部、２２…報知部、２３…周波数切替部、５０…コアネットワーク、１００…移動通信システム、１１０Ａ…ＮＢ、１１０Ｂ…ＨＮＢ、１１１Ａ…公衆セル、１１１Ｂ…特定セル、１２０Ａ…ＲＮＣ、１２０Ｂ…ＨＮＢ−ＧＷ、１３０…ＳＧＳＮ、２１０Ａ…ｅＮＢ、２１０Ｂ…ＨｅＮＢ、２１１Ａ…公衆セル、２１１Ｂ…特定セル、２２０Ｂ…ＨｅＮＢ−ＧＷ、２３０…ＭＭＥ、３１１Ａ〜３１４Ａ…公衆セル、３１２Ｂ…特定セル
【図１】
2011151502.tif 000003
【図２】
2011151502.tif 000004
【図３】
2011151502.tif 000005
【図４】
2011151502.tif 000006
【図５】
2011151502.tif 000007
【図６】
2011151502.tif 000008
【図７】
2011151502.tif 000009
【図８】
2011151502.tif 000010
【図９】
2011151502.tif 000011
【図１０】
2011151502.tif 000012